(57)【要約】【課題】点状光源からの熱を効率良く放熱すると共に、導光板の伸縮を吸収して導光板と点状光源との結合を安定に保持することが可能な面状照明装置を提供する。【解決手段】  本発明に係る面状照明装置１０は、導光板１３と、導光板１３の入光面１３ａに配置された点状光源１５と、上面視略コ字状に形成された内枠フレーム１２と、座部１１ｅおよび側壁１１ａ〜１１ｄを有する外枠フレーム１１から構成されている。導光板１３は、内枠フレーム１２に収容されて、外枠フレーム１１の座部１１ｅ上に載置され、点状光源１５は、導光板１３の入光面１３ａに沿って配置されて、入光面１３ａと、外枠フレーム１１の側壁１１ａとで挟持されている。また、内枠フレーム１２には、外枠フレーム１１と接触して弾性的に変形し、導光板１３を点状光源１５側へ付勢する弾性作用部２０が設けられている。【選択図】図１
2006309986.tif 000002
【特許請求の範囲】
【請求項１】
導光板と、該導光板の側端面に配置される点状光源と、それらを保持するフレームとを備える面状照明装置において、
前記フレームは、上面視略コ字状に形成された内枠フレームと、平板状の座部および該座部の外縁部に立設された側壁を有して前記内枠フレームを収容する外枠フレームとからなり、
前記導光板は、前記内枠フレームに収容されて、該内枠フレームと共に前記座部上に載置され、
前記点状光源は、前記導光板の、前記内枠フレームの開放辺側の側端面と、該側端面に対向する、前記外枠フレームの側壁とで挟持されており、
前記内枠フレームには、前記外枠フレームの側壁と接触して弾性的に変形し、前記導光板を前記点状光源側へ付勢する弾性作用部が設けられていることを特徴とする面状照明装置。
【請求項２】
前記弾性作用部は、前記内枠フレームの開放辺側とは反対側の一辺に設けられ、かつ、薄肉状の梁部と該梁部の略中央から前記内枠フレームの外方に突出する突起部とからなり、前記内枠フレームは、前記突起部を前記外枠フレームの側壁に接触させて、前記外枠フレームに収容されることを特徴とする請求項１に記載の面状照明装置。
【請求項３】
前記弾性作用部は、さらに、前記内枠フレームの相対向する２辺に設けられていることを特徴とする請求項２に記載の面状照明装置。
【請求項４】
前記弾性作用部は、前記内枠フレームの相対向する２辺にそれぞれ設けられ、かつ、前記内枠フレームの一辺から、前記内枠フレームの開放辺側の自由端に向かって該内枠フレームの外方に広がるように傾斜して延びる片持ち梁からなり、前記内枠フレームは、それぞれの前記片持ち梁と、前記外枠フレームの、前記内枠フレームの相対向する２辺に対向する各側壁の上端部とを接触させて、前記外枠フレームに収容されることを特徴とする請求項１に記載の面状照明装置。
【請求項５】
前記内枠フレームは白色樹脂材料により形成され、前記外枠フレームは熱伝導性金属材料により形成されていることを特徴とする請求項１から４のいずれか１項に記載の面状照明装置。
【発明の詳細な説明】
【技術分野】
【０００１】
本発明は、サイドライト方式の面状照明装置に関し、特に、液晶表示装置の照明手段として用いられる面状照明装置に関するものである。
【背景技術】
【０００２】
携帯電話等に用いられる液晶表示装置用の補助光源には、導光板の側端面に一次光源を配置したサイドライト方式の面状照明装置が主として使用されている（以下、一光源が配置された側端面を入光面ともいう）。サイドライト方式の面状照明装置の一次光源として、従来は冷陰極管ランプが使用されていたが、現在では、冷陰極管ランプと比較して取扱い性に優れ、小型化が容易であり、対衝撃性に優れた白色ＬＥＤ等の点状光源が多用されている。このような点状光源を用いた面状照明装置の適用分野は拡大する傾向にあり、携帯電話等に搭載される小型の液晶表示装置に限らず、例えば、比較的表示サイズが大きい車載ナビゲータに用いられる液晶表示装置の補助光源としての適用も検討されるようになってきている。
【０００３】
このような照明エリアの拡大に対応するために、一次光源からの出射光量の増大やその出射光の効率的な利用のための様々な試みがなされている。例えば、導光板の一側端面に配置する点状光源の数を増やすこと、導光板の複数の側端面に点状光源を配置すること、あるいは、点状光源に供給する電流を増大して点状光源１個当たりの出射光量を増大させること等によって、出射光量の増大が図られている。
【０００４】
一方、一次光源を構成する点状光源の増加、あるいは、各点状光源に供給する電流の増大には、一次光源から発生する熱量が増大して周囲温度が上昇し、点状光源の発光効率が低下するという問題が伴う。また、一次光源からの熱が導光板に伝達されると、導光板の膨張により導光板と点状光源との位置ズレを誘発して、出射光の効率的な利用の妨げとなると共に面状照明装置の照明輝度の変動の要因となる。さらに、導光板がフレームに収容されている場合には、導光板とフレームとの熱膨張係数の違いにより導光板が変形するという不具合が発生する場合もある。
【０００５】
従来、点状光源から発生する熱を効率的に放熱するために、導光板および点状光源を金属製のシャーシに収容し、点状光源を金属性のシャーシに直接接触させることによりその放熱性を高めた面状照明装置が提案されている（例えば、特許文献１参照）。また、導光板の熱膨張に伴う不具合の発生を抑制する方法として、図３に示すように、フレーム１０２に弾性作用部１２０を設けた面状照明装置１００が提案されている（例えば、特許文献２参照）。
【０００６】
面状照明装置１００において、弾性作用部１２０は、フレーム１０２の側壁１０２ｂに肉抜き穴１２３を設けることにより形成された弾性変形可能な薄肉状の梁部１２２と、梁部１２２の中央部から突出する突起部１２１とで構成されている。フレーム１０２には、導光板１０３と、ランプホルダー１０４に保持された蛍光ランプ１０５とが収容されており、その際、導光板１０３は、蛍光ランプ１０５が配置される側端面（入光面）１０３ａとは反対側の側端面（終端面）１０３ｂに、弾性作用部１２０の突起部１２１が当接するように配置され、蛍光ランプ１０５は、入光面１０３ａと、入光面１０３ａに対向するフレーム１０２の側壁１０２ａとでランプホルダー１０４を挟持することによって、導光板１０３の入光面１０３ａに沿って配置されている。面状照明装置１００では、以上のような構成により、弾性作用部１２０からの弾性力Ｆによって導光板１０３を蛍光ランプ１０５側へ付勢すると共に、導光板１０３の変形を吸収することが図られている。
【０００７】
【特許文献１】特開２００４−１８６００４号公報（〔００３５〕〜〔００３７〕、図３）
【特許文献２】特開２００３−３３８２１４号公報（〔００１６〕〜〔００１７〕、図１）
【発明の開示】
【発明が解決しようとする課題】
【０００８】
しかしながら、図３に示す面状照明装置１００は、導光板１０３の終端面１０３ｂに弾性作用部１２０の突起１２１が当接するものであるため、導光板１０３の終端面１０３ｂと、終端面１０３ｂに対向するフレーム１０２の側壁１０２ｂとの間には、間隙ｇが存在することになる。このため、終端面１０３ｂから漏れ出す光を導光板１０３に効率的に反射することができず、光の利用効率が低下するという問題がある。また、面状照明装置１００において、フレーム１０２の側壁１０２ｂの、導光板１０３の終端面１０３ｂに対向する面は、弾性作用部１２０が形成されている領域とその他の領域とで異なる構成を有するものである。すなわち、側壁１０２ｂの弾性作用部１２０が形成されている領域は、一般に、梁部１２２の撓み変形により形成される凹状の曲面と、その中央部に存在する突起部１２１の表面とで構成されており、側壁１０２ｂのその他の領域を構成する平坦な面とは異なるものであることに加えて、例えば、導光板１０３の膨張等に応じて、側壁１０２ｂと導光板１０３の終端面１０３ｂとがほぼ密着した状態になった場合でも、突起部１２０の両側には、終端面１０３ｂに直接接触することなく、空気層が介在する部分が残存することなる。このような面構成上の相違によって、両者における光の反射特性の相違が生じ、面状照明装置の輝度の不均一性を招くおそれがある。
【０００９】
さらに、特許文献１に記載の構成は、一次光源として蛍光ランプ１０５を使用することを前提とするものであり、特に、その放熱性に関して特段の考慮はなされていない。一方、一次光源として白色ＬＥＤ等の点状光源を使用して、その高輝度化を達成するためには、例えば、特許文献１に記載されているように、点状光源を金属性のシャーシに直接接触させることにより、点状光源から発生する熱を効率的に放熱することが望ましいが、特許文献１に記載された面状照明装置は、熱膨張等による導光板の伸縮に対してその結合を安定に維持する作用を有するものではなく、その点に関して改善の余地がある。
【００１０】
本発明は、上記課題に鑑みてなされたものであり、点状光源からの熱を効率良く放熱すると共に、導光板の伸縮を吸収して導光板と点状光源との結合を安定に保持することが可能な面状照明装置を提供することを目的とする。
【課題を解決するための手段】
【００１１】
上記目的を達成するために、本発明に係る面状照明装置は、導光板と、該導光板の側端面に配置される点状光源と、それらを保持するフレームとを備える面状照明装置において、前記フレームは、上面視略コ字状に形成された内枠フレームと、平板状の座部および該座部の外縁部に立設された側壁を有して前記内枠フレームを収容する外枠フレームとからなり、前記導光板は、前記内枠フレームに収容されて、該内枠フレームと共に前記座部上に載置され、前記点状光源は、前記導光板の、前記内枠フレームの開放辺側の側端面と、該側端面に対向する、前記外枠フレームの側壁とで挟持されており、前記内枠フレームには、前記外枠フレームの側壁と接触して弾性的に変形し、前記導光板を前記点状光源側へ付勢する弾性作用部が設けられていることを特徴とする。
【００１２】
本発明によれば、導光板と点状光源とを保持するフレームは、導光板を収容するコ字状の内枠フレームと、その内枠フレームを収容する外枠フレームとの２重構造をなし、また、点状光源は、導光板の、内枠フレームの開放辺側の側端面と、その側端面に対向する、外枠フレームの側壁とで挟持されて、外枠フレームと直接接触するように配置されるものであるため、外枠フレームを内枠フレームよりも高い熱伝導性を有する材料により形成することによって、点状光源から発生する熱を効率良く放熱することができ、面状照明装置の高輝度化に寄与するものとなる。
【００１３】
さらに、本発明において、内枠フレームには、内枠フレームを点状光源側へ付勢する弾性作用部が設けられているため、内枠フレームに収容された導光板と、点状光源との結合効率を高めることが可能となると共に、周囲温度の変動により、導光板の入光面に直交する方向（縦方向）に導光板が伸縮する場合にも、弾性作用部の弾性変形によりその伸縮を吸収し、導光板と点状光源との結合を安定に維持することが可能となる。また、本発明に係る弾性作用部は、外枠フレームと接触して弾性変形するものであるため、内枠フレームを構成する３辺の、導光板の側端面と対向する面を一様な平坦面として構成し、入光面を除く導光板の各側端面をそれらの３辺に密着させて収容することが可能となるため、導光板の側端面から漏洩光を、輝度の不均一性を発生させることなく効率的に導光板に戻すことができる。
【００１４】
また、本発明に係る内枠フレームは、コ字状に形成されており、点状光源は、導光板の、内枠フレームの開放辺側の側端面を入光面として配置されるものであるため、導光板が入光面に平行な方向（横方向）へ伸縮する場合にも、内枠フレーム自体が有する弾性により、コ字状を形成する３辺のうち相対向する２辺の間隔を、導光板の変形に柔軟に追随して変形させることができる。
【００１５】
本発明の一態様として、本発明に係る弾性作用部は、前記内枠フレームの開放辺側とは反対側の一辺に設けられ、かつ、薄肉状の梁部と該梁部の略中央から前記内枠フレームの外方に突出する突起部とからなり、前記内枠フレームは、前記突起部を前記外枠フレームの側壁に接触させて、前記外枠フレームに収容されるものである。これによって、外枠フレームの側壁と接触して弾性的に変形し、導光板を点状光源側へ付勢するために好適な弾性作用部を、内枠フレームと一体に容易に形成することができる。
また、望ましくは、このような弾性作用部は、さらに、前記内枠フレームの相対向する２辺に設けられているものであり、このように、弾性作用部を、内枠フレームを構成する３辺に設けることによって、内枠フレームを外枠フレームに安定に保持すると共に、導光板の２軸方向（上記縦方向および横方向）の変形を共に吸収することが可能となる。
【００１６】
また、本発明の一態様として、本発明に係る弾性作用部は、前記内枠フレームの相対向する２辺にそれぞれ設けられ、かつ、前記内枠フレームの一辺から、前記内枠フレームの開放辺側の自由端に向かって該内枠フレームの外方に広がるように傾斜して延びる片持ち梁からなり、前記内枠フレームは、それぞれの前記片持ち梁と、前記外枠フレームの、前記内枠フレームの相対向する２辺に対向する各側壁の上端部とを接触させて、前記外枠フレームに収容されるものとしてもよい。本発明に係る弾性作用部をこのような構成とすることによって、導光板に対する上記２軸方向の弾性作用を、内枠フレームの相対向する２辺にそれぞれ設けられた一対の弾性作用部により実施することが可能となる。
【００１７】
また、前記内枠フレームは白色樹脂材料により形成され、前記外枠フレームは熱伝導性金属材料により形成されていることが望ましく、これによって、本発明に係る弾性作用部を容易に一体成形し、かつ、導光板の側端面からの漏洩光を効率良く反射して導光板に戻すことが可能な内枠フレームと、点状光源から発生する熱の放熱性に優れた外枠フレームとを備えた面状照明装置を実現することができる。
【発明の効果】
【００１８】
本発明は、このように構成したため、点状光源からの熱を効率良く放熱すると共に、導光板の伸縮を吸収して導光板と点状光源との結合を安定に保持することができ、面状照明装置の高輝度化および輝度の安定化を達成することが可能となる。
【発明を実施するための最良の形態】
【００１９】
以下、本発明の実施の形態を添付図面を参照して説明するが、各図面は説明のためのものであり、必ずしも実際の形状、寸法を正確に反映するものではない。
図１は、本発明の第１の実施形態における面状照明装置１０の要部を示す図であり、（ａ）は上面図、（ｂ）は、一部をそのＡ−Ａ断面として示す側面図である。本実施形態における面状照明装置１０は、導光板１３と、導光板１３の一側端面１３ａに配置された点状光源１５と、それらを保持するフレーム１１、１２とを備えており、このフレームは、上面視略コ字状に形成された内枠フレーム１２と、平板状の座部１１ｅおよび座部１１ｅの外縁部に立設された側壁１１ａ、１１ｂ、１１ｃ、１１ｄを有する外枠フレーム１１から構成されている。面状照明装置１０において、導光板１３は、内枠フレーム１２に収容されて、内枠フレーム１２と共に外枠フレーム１１の座部１１ｅ上に載置されており、点状光源１５は、導光板１３の、内枠フレーム１２の開放辺側の側端面（入光面）１３ａに沿って配置されて、入光面１３ａと、入光面１３ａに対向する、外枠フレーム１１の側壁１１ａとで挟持されている。また、本実施形態において、略コ字状の内枠フレーム１２を構成する３辺１２ｂ、１２ｃ、１２ｄには、弾性作用部２０が設けられており、この弾性作用部２０の構成および作用の詳細については後述する。
【００２０】
ここで、導光板１３は、例えばアクリル樹脂やポリカーボネート樹脂等の透明樹脂を略矩形状に成形してなる板状の導光体であり、上面１３ｅを光出射面とし、下面１３ｆを反射面として、入光面１３ａから入射した光を、導光板１３の内部へと伝播させつつ表面１３ａから均一に出射するものである。
また、点状光源１５は、例えば白色ＬＥＤからなり、導光板１３の入光面１３ａにその光出射面を向けて配置されている。また、図示は省略するが、これらの点状光源１５は、フレキシブルプリント基板等の回路基板上に実装されており、この回路基板は、例えば、導光板１３の上面１３ｅまたは下面１３ｆ、あるいは外枠フレーム１１の側壁１１ａに固着されるものであってもよい。
【００２１】
本実施形態において、内枠フレーム１２は、相対向する２辺１２ｃ、１２ｄと、それらの２辺の一端部を連結する底辺１２ｂを有して、底辺１２ｂの反対側を開放辺とする略コ字状に形成されており、例えば、白色顔料として酸化チタンを混入したポリカーボネート樹脂等の白色樹脂により成形されてなるものである。また、外枠フレーム１１は、例えばアルミニウム等の高熱伝導性の金属材料により形成され、平板状の座部１１ｅと、通常のプレス加工等により座部１１ｅの外縁部に立設された側壁１１ａ、１１ｂ、１１ｃ、１１ｄとを有している。
【００２２】
面状照明装置１０は、このような内枠フレーム１２と外枠フレーム１１とから構成される２重構造のフレームを有するものであり、導光板１３は、内枠フレーム１２に、その入光面１３ａを除く３方の側端面１３ｂ、１３ｃ、１３ｄを、内枠フレーム１２のそれぞれ対応する３辺１２ｂ、１２ｃ、１２ｄに密着させて収容され、一体化された導光板１３と内枠フレーム１２とを、外枠フレーム１１の座部１１ｅ上に載置することにより、外枠フレーム１１に収容するものである。この際、導光板１３の側端面１３ｂ〜１３ｄと、内枠フレーム１２の対応する側辺１２ｂ〜１２ｄの内面とは固着されておらず、導光板１３と内枠フレーム１２は、導光板１３の伸縮に伴って、導光板１３の側端面１３ｃ、１３ｄと内枠フレームのそれぞれ対応する辺１２ｃ、１２ｄとの間の相対的なずれが可能であるように一体化されている。
【００２３】
本実施形態において、内枠フレーム１２の底辺１２ｂには、外枠フレーム１１の側壁１１ｂと接触して弾性的に変形し、内枠フレーム１２（したがって、内枠フレーム１２に一体に収容された導光板１３）を点状光源１５側へ付勢する、一対の弾性作用部２０が形成され、内枠フレーム１２に相対向する２辺１２ｃ、１２ｄには、弾性作用部２０と同様の構成を有して、それぞれ外枠フレーム１１の側壁１１ｃ、１１ｄに接触して弾性変形する弾性作用部２０’が形成されている。
【００２４】
以下、弾性作用部２０、２０’の構成および作用を説明するが、以下の説明において、導光板１３の入光面１３ａに平行な方向を横方向、入光面１３ａに直交する方向を縦方向といい、必要に応じて、紙面の上下左右に合わせて、面状照明装置１０の上下左右の向きを定義する。
【００２５】
まず、弾性作用部２０は、内枠フレーム１２の底辺１２ｂに、その延長方向と略平行に貫通孔２３を設けることによって形成される弾性変形可能な薄肉状の梁部２２と、梁部２２の略中央から内枠フレーム１２の外方に突出する突起部２１とからなるものである。本実施形態において、内枠フレーム１２は、弾性作用部２０の突起部２１が外枠フレーム１１の側壁１１ｂに接触し、その梁部２２が内枠フレーム１２の内方に僅かに撓むように配置されており、それによって、内枠フレーム１２の底辺１２ｂには、弾性作用部２０が側壁１１ｂに及ぼす弾性力の反作用として、側壁１１ｂから縦方向上向きの抗力ＦUが作用することになる。この抗力ＦUによって、内枠フレーム１２および導光板１３は、点状光源１５側に付勢されるものであり、導光板１３の入光面１２ａと、入光面１２ａに対向する、外枠フレーム１１の側壁１１ａとで挟持された点状光源１５は、導光板１３に対して良好かつ安定に結合され、かつ、熱伝導性の金属材料から側壁１１ａとの接触により効率的な放熱が実施される。また、周囲温度の変動等によって、導光板１３が膨張・収縮しても、その縦方向の伸縮は、弾性作用部２０の梁部２２の弾性変形により吸収されるものである。
【００２６】
一方、弾性変形部２０’は、弾性変形部２０と同様の構造体を、内枠フレーム１２の相対向する２辺１２ｃ、１２ｄに、それらの延長方向と略平行に設けることによって形成されるものである。本実施形態において、内枠フレーム１２は、弾性作用部２０’の突起部２１が外枠フレーム１１の側壁１１ｃ、１１ｄに接触し、その梁部２２が内枠フレーム１２の内方に僅かに撓むように配置されており、それによって、内枠フレーム１２の辺１２ｃには、弾性作用部２０’が側壁１１ｃに及ぼす弾性力の反作用として、側壁１１ｃから横方向右向きの抗力ＦRが、内枠フレーム１２の辺１２ｄには、弾性作用部２０’が側壁１１ｄに及ぼす弾性力の反作用として、側壁１１ｄから横方向左向きの抗力ＦLが、それぞれ作用することになる。この抗力ＦRおよびＦLによって、内枠フレーム１２は、外枠フレームに安定に保持されるものである。また、内枠フレーム１２がコ字状に形成されているため、相対向する２辺１２ｃ、１２ｄの間隔は、内枠フレーム１２自体が有する弾性によって導光板１３の変形に柔軟に追随して変動するものであり、導光板１３の膨張・収縮に横方向の伸縮成分を、弾性作用部２０’の梁部２２の弾性変形により吸収することができる。
【００２７】
このように、面状照明装置１０において、弾性作用部２０、２０’は、内枠フレーム１２を構成する各辺１１ｂ、１１ｃ、１１ｄの外面側に形成されているため、内枠フレーム１２の各辺１１ｂ、１１ｃ、１１ｄの内面側は、導光板１３の各側端面１３ｂ、１３ｃ、１３ｄに応じた形状（例えば、一様な平坦面）に形成することができ、上述したように、導光板１３の各側端面１３ｂ、１３ｃ、１３ｄを内枠フレーム１２の各辺１１ｂ、１１ｃ、１１ｄに密着させて収容することができ、輝度の不均一性を発生させることなく、各側端面１３ｂ、１３ｃ、１３ｄからの漏洩光を効率良く反射して導光板１３に戻すことができる。
尚、弾性作用部２０、２０’は、好ましくは、白色樹脂からなる内枠フレーム１２と一体に成形されるものであり、その際、梁部２２の板厚および長さ、および、貫通孔２３の形状・寸法、あるいは、各弾性作用部２０、２０’の数および位置等は、導光板１３の伸縮を吸収し、かつ、内枠フレーム１２に対して適切な抗力ＦU、ＦR、ＦLが作用するように、適宜設定されるものである。
【００２８】
次に、図２を参照して、本発明の第２の実施形態における面状照明装置を説明する。図２は、面状照明装置３０の要部を示す上面図である。本実施形態における面状照明装置２０は、図１に示す面状照明装置１０と基本的に同様の構成を有するものであり、内枠フレーム３２に設けられた弾性作用部３３の構成のみが異なるものであるため、以下では、重複する部分の説明を省略して、弾性作用部３３の構成および作用について詳述する。
【００２９】
面状照明装置３０において、その弾性作用部３３は、内枠フレーム３２の相対向する２辺３２ｃ、３２ｄにそれぞれ設けられた一対の片持ち梁３３により構成され、この片持ち梁３３は、内枠フレームの各辺３２ｃ、３２ｄから、内枠フレーム３２の開放辺側の自由端３３ａに向かって、内枠フレーム３２の外方に広がるように傾斜して延びるものであり、その自由端（先端）には、外枠フレーム１１の各側壁１１ｃ、１１ｄの上端部１４ｃ、１４ｄと係合する、係止部３３ａが設けられている。
【００３０】
本実施形態において、内枠フレーム３２は、弾性作用部３３が外枠フレーム１１の側壁１１ｃ、１１ｄに接触し、その傾斜が内枠フレーム１２の内方に僅かに撓むように配置されており、それによって、内枠フレーム３２の辺３２ｃには、その弾性作用部３３が側壁１１ｃに及ぼす弾性力の反作用として、側壁１１ｃから斜め上方右向きの抗力Ｆが作用し、内枠フレーム３２の辺３２ｄには、その弾性作用部３３が側壁１１ｄに及ぼす弾性力の反作用として、側壁１１ｄから斜め上方左向きの抗力Ｆ’が作用することになる。本実施形態では、これらの抗力Ｆ、Ｆ’の上方向成分ＦUによって、内枠フレーム３２および導光板１３が点状光源１５側に付勢されると共に、それぞれの横方向成分ＦR、ＦLも同時に作用して、内枠フレーム３２を外枠フレーム１１に安定に保持するものである。同様に、周囲温度の変動等による導光板１３の縦方向および横方向の膨張・収縮は、弾性作用部３３の傾斜が内枠フレーム３２の外方または内方に変動することにより吸収されるものである。このように、面状照明装置３０は、内枠フレーム３２の相対向する２辺３２ｃ、３２ｄに設けられた一対の弾性作用部３３によって、上述した第１の実施形態における面状照明装置１０と同様の作用・効果を得るものである。
【図面の簡単な説明】
【００３１】
【図１】本発明の第１の実施形態における面状照明装置の要部を示す図であり、（ａ）は上面図、（ｂ）は一部をＡ−Ａ断面として示す側面図である。
【図２】本発明の第２の実施形態における面状照明装置の要部を示す上面図である。
【図３】従来の面状照明装置の構成例を示す上面図である。
【符号の説明】
【００３２】
１０，３０：面状照明装置、１１：外枠フレーム、１２，３２：内枠フレーム、１３：導光板、１５：点状光源、２０：弾性作用部、２１：突起部、２２：梁部、３３：弾性作用部（片持ち梁）
【図１】
2006309986.tif 000003
【図２】
2006309986.tif 000004
【図３】
2006309986.tif 000005
【手続補正書】
【提出日】平成18年2月17日(2006.2.17)
【手続補正１】
【補正対象書類名】明細書
【補正対象項目名】０００２
【補正方法】変更
【補正の内容】
【０００２】
携帯電話等に用いられる液晶表示装置用の補助光源には、導光板の側端面に一次光源を配置したサイドライト方式の面状照明装置が主として使用されている（以下、一次光源が配置された側端面を入光面ともいう）。サイドライト方式の面状照明装置の一次光源として、従来は冷陰極管ランプが使用されていたが、現在では、冷陰極管ランプと比較して取扱い性に優れ、小型化が容易であり、対衝撃性に優れた白色ＬＥＤ等の点状光源が多用されている。このような点状光源を用いた面状照明装置の適用分野は拡大する傾向にあり、携帯電話等に搭載される小型の液晶表示装置に限らず、例えば、比較的表示サイズが大きい車載ナビゲータに用いられる液晶表示装置の補助光源としての適用も検討されるようになってきている。
【手続補正２】
【補正対象書類名】明細書
【補正対象項目名】００１９
【補正方法】変更
【補正の内容】
【００１９】
以下、本発明の実施の形態を添付図面を参照して説明するが、各図面は説明のためのものであり、必ずしも実際の形状、寸法を正確に反映するものではない。
図１は、本発明の第１の実施形態における面状照明装置１０の要部を示す図であり、（ａ）は上面図、（ｂ）は、一部をそのＡ−Ａ断面として示す側面図である。本実施形態における面状照明装置１０は、導光板１３と、導光板１３の一側端面１３ａに配置された点状光源１５と、それらを保持するフレーム１１、１２とを備えており、このフレームは、上面視略コ字状に形成された内枠フレーム１２と、平板状の座部１１ｅおよび座部１１ｅの外縁部に立設された側壁１１ａ、１１ｂ、１１ｃ、１１ｄを有する外枠フレーム１１から構成されている。面状照明装置１０において、導光板１３は、内枠フレーム１２に収容されて、内枠フレーム１２と共に外枠フレーム１１の座部１１ｅ上に載置されており、点状光源１５は、導光板１３の、内枠フレーム１２の開放辺側の側端面（入光面）１３ａに沿って配置されて、入光面１３ａと、入光面１３ａに対向する、外枠フレーム１１の側壁１１ａとで挟持されている。また、本実施形態において、略コ字状の内枠フレーム１２を構成する３辺１２ｂ、１２ｃ、１２ｄには、弾性作用部２０、２０’が設けられており、この弾性作用部２０、２０’の構成および作用の詳細については後述する。
【手続補正３】
【補正対象書類名】明細書
【補正対象項目名】００２６
【補正方法】変更
【補正の内容】
【００２６】
一方、弾性作用部２０’は、弾性作用部２０と同様の構造体を、内枠フレーム１２の相対向する２辺１２ｃ、１２ｄに、それらの延長方向と略平行に設けることによって形成されるものである。本実施形態において、内枠フレーム１２は、弾性作用部２０’の突起部２１が外枠フレーム１１の側壁１１ｃ、１１ｄに接触し、その梁部２２が内枠フレーム１２の内方に僅かに撓むように配置されており、それによって、内枠フレーム１２の辺１２ｃには、弾性作用部２０’が側壁１１ｃに及ぼす弾性力の反作用として、側壁１１ｃから横方向右向きの抗力ＦRが、内枠フレーム１２の辺１２ｄには、弾性作用部２０’が側壁１１ｄに及ぼす弾性力の反作用として、側壁１１ｄから横方向左向きの抗力ＦLが、それぞれ作用することになる。この抗力ＦRおよびＦLによって、内枠フレーム１２は、外枠フレームに安定に保持されるものである。また、内枠フレーム１２がコ字状に形成されているため、相対向する２辺１２ｃ、１２ｄの間隔は、内枠フレーム１２自体が有する弾性によって導光板１３の変形に柔軟に追随して変動するものであり、導光板１３の膨張・収縮に横方向の伸縮成分を、弾性作用部２０’の梁部２２の弾性変形により吸収することができる。
【手続補正４】
【補正対象書類名】明細書
【補正対象項目名】００２８
【補正方法】変更
【補正の内容】
【００２８】
次に、図２を参照して、本発明の第２の実施形態における面状照明装置を説明する。図２は、面状照明装置３０の要部を示す上面図である。本実施形態における面状照明装置３０は、図１に示す面状照明装置１０と基本的に同様の構成を有するものであり、内枠フレーム３２に設けられた弾性作用部３３の構成のみが異なるものであるため、以下では、重複する部分の説明を省略して、弾性作用部３３の構成および作用について詳述する。
【手続補正５】
【補正対象書類名】明細書
【補正対象項目名】００３０
【補正方法】変更
【補正の内容】
【００３０】
本実施形態において、内枠フレーム３２は、弾性作用部３３が外枠フレーム１１の側壁１１ｃ、１１ｄに接触し、その傾斜が内枠フレーム３２の内方に僅かに撓むように配置されており、それによって、内枠フレーム３２の辺３２ｃには、その弾性作用部３３が側壁１１ｃに及ぼす弾性力の反作用として、側壁１１ｃから斜め上方右向きの抗力Ｆが作用し、内枠フレーム３２の辺３２ｄには、その弾性作用部３３が側壁１１ｄに及ぼす弾性力の反作用として、側壁１１ｄから斜め上方左向きの抗力Ｆ’が作用することになる。本実施形態では、これらの抗力Ｆ、Ｆ’の上方向成分ＦUによって、内枠フレーム３２および導光板１３が点状光源１５側に付勢されると共に、それぞれの横方向成分ＦR、ＦLも同時に作用して、内枠フレーム３２を外枠フレーム１１に安定に保持するものである。同様に、周囲温度の変動等による導光板１３の縦方向および横方向の膨張・収縮は、弾性作用部３３の傾斜が内枠フレーム３２の外方または内方に変動することにより吸収されるものである。このように、面状照明装置３０は、内枠フレーム３２の相対向する２辺３２ｃ、３２ｄに設けられた一対の弾性作用部３３によって、上述した第１の実施形態における面状照明装置１０と同様の作用・効果を得るものである。
【手続補正６】
【補正対象書類名】図面
【補正対象項目名】図２
【補正方法】変更
【補正の内容】
【図２】
2006309986.tif 000006
【手続補正７】
【補正対象書類名】図面
【補正対象項目名】図３
【補正方法】変更
【補正の内容】
【図３】
2006309986.tif 000007